(57)【要約】【課題】インフォーメーションパネル、玩具、絵本、学習教材等、様々な分野に用いることが可能な、複数画像の表示が可能な画像表示装置を提供する。【解決手段】複数の画像を合成して構成された絵柄部を有する画像シートと、中央部に窓部を有する外枠と、透明シートに、一定線幅の複数の縦線及び横線が、一定の線間隔を置いて直角に交わって引かれたマスク版と、を具備し、前記画像シートは前記外枠に固定され、前記マスク版は、前記窓部に形成されたくぼみ部に、前記絵柄部上で、移動可能に設けられ、前記外枠を回転させることにより、前記マスク版が前記絵柄部上で重力方向に移動し、表示画像を切り替えることを特徴とする画像表示装置。【選択図】図１
2007139852.tif 000002
【特許請求の範囲】
【請求項１】
複数の画像を合成して構成された絵柄部を有する外枠と、
透明シートに、一定線幅の複数の縦線及び／又は横線が、等間隔で描かれたマスク版と、を具備し、
前記マスク版は、前記絵柄部上で、移動可能に設けられ、前記外枠を回転させることにより、前記マスク版が重力方向に移動し、表示画像を切り替えることを特徴とする画像表示装置。
【請求項２】
前記マスク版は、複数の縦線と横線とが、直角に交わって描かれていることを特徴とする請求項１記載の画像表示装置。
【請求項３】
前記マスク版は正方形又は長方形であり、前記外枠の中央部に設けられた正方形または長方形のくぼみ部に備えられ、前記くぼみ部の一辺の長さは、前記マスク版の一辺の長さより前記マスク版の線幅分長いことを特徴とする請求項１又は請求項２記載の画像表示装置。
【発明の詳細な説明】
【技術分野】
【０００１】
本発明は、インフォーメーションパネル、玩具、絵本、学習教材等、様々な分野に用いることが可能な、複数画像の表示が可能な画像表示装置に関する。
【背景技術】
【０００２】
従来様々な分野において、画像を複数の等間隔の帯状に分割し、分割された画像を一つ置きに消去して作成されたパターン印刷物の上に、前記分割幅と同幅の透過部と非透過部とを交互に配列したマスク版を載せ、マスク版を所定の位置に重ね合わせることにより、画像を表示させる方法が利用されている。
例えば本出願人は先に、背景部と、パターンの角度がそれぞれ異なる複数の規則的な万線状パターンを有する判別パターン部とを有する印刷物上に、印刷物の万線状パターンと干渉するピッチの万線状パターンを有する判別具を載せて、判別具を回転させることにより複数の画像を形成させる方法を提案した。
【特許文献１】特開平１０−２９７０７７号公報
【発明の開示】
【発明が解決しようとする課題】
【０００３】
しかしながら、従来の方法では、マスク版の移動や画像切り替えが一瞬にして行われるものではなく、インフォーメーションパネルや玩具等の様々な分野で実用化されるには至らなかった。
【課題を解決するための手段】
【０００４】
本発明者らは、上記目的を達成するために鋭意研究を重ねた結果、表示装置本体を回転させるだけで画像の切り替えが可能な画像表示装置を見出し、本発明に至った。
【０００５】
本発明の第１の発明は、複数の画像を合成して構成された絵柄部を有する外枠と、透明シートに、一定線幅の複数の縦線及び／又は横線が、等間隔で描かれたマスク版と、を具備し、前記マスク版は、前記絵柄部上で、移動可能に設けられ、前記外枠を回転させることにより、前記マスク版が重力方向に移動し、表示画像を切り替えることを特徴とする画像表示装置である。
【発明の効果】
【０００６】
本発明の画像表示装置は、装置全体を回転させることにより、自動的に絵柄を切り替えることができる。精度良く簡単に画像切り替えが可能であるため、インフォーメーションパネル、玩具、絵本、学習教材等、様々な分野に用いることができる。
【発明を実施するための最良の形態】
【０００７】
以下、本発明の実施形態を図面を参照しながら詳細に説明する。
図１は本発明にかかる画像表示装置の一例を示す斜視図であり、図２は図１に示す画像表示装置の構造説明図である。また、図３は、本発明の画像表示装置の使用説明図であり、図４は、図２に示す画像シートの説明図である。
【０００８】
本発明の画像表示装置１は、図２に示すように、絵柄部５を有する画像シート３と外枠７とマスク版１１とからなる。外枠７は、中央部に窓部９を有し、窓部９において画像シート３の絵柄部５上にマスク版１１が重ねられる。画像シート３は、外枠７に固定して設けられ、マスク版１１はくぼみ部である窓部９内に移動可能に設けられる。
【０００９】
また、ここでは示していないが、窓部９のマスク版１１の前面に、ブラスチック等の透明シートを設けることにより、マスク版１１が窓部９からはずれることを防止できる。
【００１０】
マスク版１１は、正方形の透明シートに、一定線幅の複数の縦線及び横線が、一定の線間隔をおいて等間隔で描かれ、縦線と横線とは直角に交わって設けられる。これによりマスク版１１に透明な方眼部１５が形成される。尚、横線及び縦線の線幅と線間隔とは、同じ長さである。マスク版１１の形状は、特に正方形に限定するものではなく、長方形でもよい。
【００１１】
外枠７の形状は、特に限定するものではないが、本実施形態では、画像表示装置１を９０度ずつ回転させて、４種の画像を表示させることから、正方形または長方形が好ましい。
【００１２】
窓部９は、一角が上向きに配置された正方形状または長方形状であり、窓部９の一辺の長さがマスク版１１の一辺の長さよりマスク版１１の線幅分長い大きさである。これにより、窓部９とマスク版１１との間にマスク版の方眼１マス分の幅の隙間１３が生じ、外枠７を回転させたとき、重力により窓部９内でマスク版１１が移動する。
【００１３】
画像表示装置１は、マスク版１１を重力により移動させることから、立てて用いることが好適である。
【００１４】
画像シート３の絵柄部５は、図４に示すように、図４（ａ）に示す４種の画像３１、３３、３５、３７を図４（ｂ）に示す様に一枚に合成した合成画像３９である。４種の画像３１、３３、３５、３７は、それぞれ図４（ａ）に示すように、マスク版１１と同様の方眼に分割され、マスク版１１の方眼に重なる箇所のみの画像で形成されたマスク版１１の下絵用画像である。また画像が９０度ずつ回転して順に表示されることを考慮して、それぞれの画像は予め９０度ずつ回転させて構成されている。
【００１５】
また、絵柄部５上でマスク版１１が方眼１マス分移動して、表示を切り替えることから、４種の画像３１、３３、３５、３７の合成は、マスク版１１の方眼１マス分ずつ位置をずらして合成される。図４（ｃ）に、４種の画像の合成位置の説明図として合成画像３９の一部を示す。合成画像３９をマスク版１１の方眼と同サイズの方眼で区切ると、図中、ａで示す部分には画像Ａの一部が、ｂで示す部分には画像Ｂの一部が、ｃで示す部分には画像Ｃの一部が、またｄで示す部分には画像Ｄの一部が形成される。
【００１６】
以上のように４種の画像を合成することにより、４種の画像を切り替えて表示可能となる。図５、図６を用いて説明する。本発明では、図５に示すように、マスク版４１を合成画像３９の上に重ねる。これにより、図６（ａ）に示すように、マスク版４１の透明部に、ａで示す部分のみが現れ、ｂ、ｃ、及びｄで示す部分は、マスク版４１の縦線又は横線に隠される。次に、装置を９０度回転することにより、図６（ｂ）に示すように、マスク版４１が方眼１マス分移動し、ｄで示す部分のみが現れ、ａ、ｂ、及びｃで示す部分は、マスク版４１の縦線又は横線に隠される。更に、装置を９０度回転することにより、図６（ｃ）に示すように、マスク版４１が方眼１マス分移動し、ｃで示す部分のみが現れ、ａ、ｂ、及びｄで示す部分は、マスク版４１の縦線又は横線に隠される。更に、装置を９０度回転することにより、図６（ｄ）に示すように、マスク版４１が方眼１マス分移動し、ｂで示す部分のみが現れ、ａ、ｃ、及びｄで示す部分は、マスク版４１の縦線又は横線に隠される。ここで、実際は装置の回転により、合成画像３９及びマスク版４１も回転するが、図６（ｂ）、（ｃ）、（ｄ）においては、合成画像３９及びマスク版４１の回転は描かず、マスク版４１の移動のみ説明した。
【００１７】
次に本発明の画像表示装置の使用方法を説明する。
図３（ａ）に示すように、窓部９に画像Ａが表示された状態で、図中右回転に外枠７を９０度回転させると、マスク版１１は重力により移動方向２１の矢印方向に移動し、図３（ｂ）に示す様に、窓部９に画像Ｄが表示される。更に、同様に外枠７を図中右回転に９０度回転させると、図３（ｃ）に示す様に、窓部９に画像Ｃが表示され、更に同様に外枠７を図中右回転に９０度回転させると、図３（ｄ）に示す様に、窓部９に画像Ｂが表示される。図中、目印２３は、外枠７の回転位置を示すためのものである。
【００１８】
画像表示装置１を回転させる方法は、特に限定するものではないが、モーターを用いる方法が好適に利用可能である。図７に示すように、少なくとも画像表示部が透明のケース４７に、画像表示装置１を収納して固定し、モーター４３により回転する回転軸４５をケース４７に取り付ける。一定時間毎に、９０度ずつ回転軸４５が回転するように設定することにより、自動表示切り替えが可能となる。また、図７に示すモーター付きの画像表示装置を複数台並べて設置すれば、より多くの情報表示が可能となる。
【００１９】
このように、本発明によれば、装置全体を回転させることにより、自動的に絵柄を切り替えることができる。精度良く簡単に画像切り替えが可能であるため、インフォーメーションパネル、玩具、絵本、学習教材等、様々な分野に用いることができる。
【００２０】
なお、本発明はその技術的思想の範囲内で種々の変形が可能である。例えば、前述した実施形態では、４種の画像を表示させたが、２種類の画像を表示させることもできる。２種類の画像を表示させる場合は、表示装置を１８０度回転させて画像の切り替えを行ってもよいし、前記実施形態において、縦線又は横線のみが一定間隔で引かれているマスク版を用いて、９０度回転させることにより表示を切り替えてもよい。
【図面の簡単な説明】
【００２１】
【図１】本発明の画像表示装置の一実施例を示す斜視図である。
【図２】図１の画像表示装置の構造説明図である。
【図３】本発明の画像表示装置の使用説明図である。
【図４】図２に示す絵柄部５の説明図である。
【図５】図２に示す絵柄部５の説明図である。
【図６】図２に示す絵柄部５の説明図である。
【図７】モーター付き画像表示装置の斜視図である。
【符号の説明】
【００２２】
１………画像表示装置
３………画像シート
５………絵柄部
７………外枠
９………窓部
１１………マスク版
１３………隙間
１５………方眼部
２１………移動方向
２３………目印
３１………画像
３３………画像
３５………画像
３７………画像
３９………合成画像
４１………マスク版
４３………モーター
４５………回転軸
４７………ケース
【図１】
2007139852.tif 000003
【図２】
2007139852.tif 000004
【図３】
2007139852.tif 000005
【図４】
2007139852.tif 000006
【図５】
2007139852.tif 000007
【図６】
2007139852.tif 000008
【図７】
2007139852.tif 000009